(57)【要約】【課題】安全帽に揺れることなく安定的に取り付けることができ、顔面の上部及び側部の視野を確保すると同時に、日差しを遮断することができる安全帽用サンシェードを提供する。【解決手段】着用者の頭部を覆う帽体と、前記帽体の前方に設けられ日差しを遮断する帽子のつばが形成された安全帽に着脱可能に結合される安全帽用サンシェードにおいて、前記帽子のつばの前方に照射される日差しを遮断する主遮光幕と、前記帽子のつばに着脱される着脱結合部を有するシェード本体と、前記帽子のつばを間に置いて前記シェード本体に回動可能に結合され、前記帽子のつばの両側部に照射される日差しを遮断する１対の補助遮光幕とを含むことを特徴とする安全帽用サンシェード。【選択図】図１
2008007928.tif 000002
【特許請求の範囲】
【請求項１】
着用者の頭部を覆う帽体と、前記帽体の前方に設けられて日差しを遮断する帽子のつばが形成された安全帽に着脱可能に結合される安全帽用サンシェードにおいて、
前記帽子のつばの前方に照射される日差しを遮断する主遮光幕と、前記帽子のつばに着脱される着脱結合部を有するシェード本体と、
前記帽子のつばを間に置いて前記シェード本体に回動可能に結合され、前記帽子のつばの両側部に照射される日差しを遮断する１対の補助遮光幕を含むことを特徴とする安全帽用サンシェード。
【請求項２】
前記主遮光幕と前記補助遮光幕は、紫外線遮断の透明合成樹脂板からなることを特徴とする、請求項１に記載の安全帽用サンシェード。
【請求項３】
前記主遮光幕と前記補助遮光幕は、ピン、リベットのうちいずれか一つにより結合されることを特徴とする、請求項１に記載の安全帽用サンシェード。
【請求項４】
帯状を有して前記シェード本体に結合され、前記帽体の周囲に取り付けられ、前記シェード本体を前記帽体に固定する弾性バンドをさらに含むことを特徴とする、請求項１〜請求項３のいずれか一項に記載の安全帽用サンシェード。
【発明の詳細な説明】
【技術分野】
【０００１】
本発明は、安全帽用サンシェードに関し、より詳細には、安全帽のつばに着脱可能に結合され、日差しを遮断し、上部及び側部の視野を確保することができる安全帽用サンシェードに関する。
【背景技術】
【０００２】
一般的に安全帽は、着用者の頭部を覆う帽体と、帽体の内部に装着されて着用者の頭部に安着されるヘッドバンドと、そのヘッドバンドに取り付けられて帽体が着用者の頭部から脱落することを防止するあごひもとを有する。
【０００３】
安全帽の帽体の前方に日差しの遮断機能を有する帽子のつばが形成されている。
【０００４】
このような安全帽は、主に建築現場などで落下する物体から作業者の頭を保護したり、または、墜落したとき作業者の頭を保護するなど、外部からの衝撃に対して頭を保護する機能を有する。
【０００５】
いろいろな作業現場で発生する安全事故は、そのパターンが非常に多様であり、特に落下物に対する剛性を提供するために、安全帽は殆ど球状となっており、最近では、合成樹脂からなる安全帽が主に使用されている。
【０００６】
しかし、従来の安全帽は、外部の衝撃を受けたときに十分に頭を保護することができるが、日差しを十分に遮断できないので、紫外線による肌の損傷をもたらすという問題点があった。
【０００７】
このような問題点を改善するために、安全帽用サンシェードが韓国登録実用新案第20-0320527号に開示されている。
【０００８】
従来の安全帽用サンシェード（安全帽用のサンキャップ）は、帽子のつばの左側及び右側が半月形状で下方に曲がった湾曲形状を有しており、上下調節は可能であるものの、着用時の輻射熱の発生により熱を放出することができないだけでなく、顔の側部の左側及び右側に日陰を提供することができないという短所がある。
【０００９】
さらに、韓国実用新案登録第20-0241554号と、韓国公開特許第2006-0001982号に開示されている安全帽用サンシェードは、ドーナツ状の網紗及び薄い透明合成樹脂板材からなり、それによる日陰の提供や紫外線遮断の効果は優れているが、前後・左右に一定の幅を均等に有するので、着用したとき、工事現場の散在した構造物にぶつかり易く、障害物を避けることが容易ではないという問題点がある。また、全体製品のサイズが大きくて、取り扱い及び保管が煩わしく不便であるという短所がある。
【特許文献１】韓国登録実用新案第20-0320527号
【特許文献２】韓国実用新案登録第20-0241554号
【特許文献３】韓国公開特許第2006-0001982号
【発明の開示】
【発明が解決しようとする課題】
【００１０】
そこで、本発明の出願人は、従来の安全帽用サンシェードの問題点を同時に解決し、取り扱い及び使用上の便利性を提供することができ、かつ、顔面の側部に照射される日差しをも遮断することができるように構造を改善した安全帽用サンシェードを開発することを目的とし、この発明を完成するに至った。
【００１１】
本発明の目的は、安全帽に揺れることなく安定的に取り付けることができ、顔面の上部及び側部の視野を確保すると同時に、日差しを遮断することができる安全帽用サンシェードを提供することである。
【課題を解決するための手段】
【００１２】
このような本発明の目的は、着用者の頭部を覆う帽体と、前記帽体の前方に設けられ日差しを遮断する帽子のつばが形成された安全帽に着脱可能に結合される安全帽用サンシェードにおいて、前記帽子のつばの前方に照射される日差しを遮断する主遮光幕と、前記帽子のつばに着脱される着脱結合部を有するシェード本体と、前記帽子のつばを間に置いて前記シェード本体に回動可能に結合され、前記帽子のつばの両側部に照射される日差しを遮断する１対の補助遮光幕とを含むことを特徴とする、安全帽用サンシェードにより達成することができる。
【００１３】
ここで、前記主遮光幕と前記補助遮光幕は、紫外線遮断の透明合成樹脂板からなり、視野を確保すると同時に、日差しを遮断することができるようになる。
【００１４】
前記主遮光幕と前記補助遮光幕は、ピン、リベットのうちいずれか一つにより結合されることが好ましい。
【００１５】
帯状を有して前記シェード本体に結合され、前記帽体の周囲に装着され、前記シェード本体を前記帽体に固定する弾性バンドをさらに含むことにより、前記シェード本体が前記安全帽から離脱することをより確実に防止することができるようになる。
【００１６】
このように、本発明は、安全帽用サンシェードに関する。
【００１７】
本発明は着用者の頭部を覆う帽体と、前記帽体の前方に設けられ日差しを遮断する帽子のつばが形成された安全帽に着脱可能に結合される安全帽用サンシェードに関するものであって、前記帽子のつばの前方に照射される日差しを遮断する主遮光幕と、前記帽子のつばに着脱される着脱結合部を有するシェード本体と、前記帽子のつばを間に置いて前記シェード本体に回動可能に結合され、前記帽子のつばの両側部に照射される日差しを遮断する１対の補助遮光幕とを含むことを特徴とする。
【００１８】
本発明は、着脱結合部と弾性バンドにより、安全帽に揺れることなく安定的に着用することができ、顔面の上部及び側部の視野を確保すると同時に、日差しを遮断することができる。
【発明の効果】
【００１９】
このような本発明によれば、主遮光幕の両側部に１対の補助遮光幕を設け、安全帽のつばに着脱することにより、安全帽に揺れることなく、安定的に取り付けることができ、顔面の側部の視野を確保すると同時に、日差しを遮断することができる。さらに、回動可能にして構造物や障害物にも效果的に対応することができる安全帽用サンシェードを提供することができる。
【発明を実施するための最良の形態】
【００２０】
以下、添付した図面を参照して本発明の好ましい実施形態を詳細に説明する。
【００２１】
図１〜図３は、本発明に係る安全帽用サンシェードを示す図である。
【００２２】
まず、本発明の安全帽用サンシェードが適用される安全帽１０について説明する。
【００２３】
安全帽１０は、着用者の頭部を覆う帽体１１と、帽体１１の前方に設けられ日差しを遮断する帽子のつば１３が形成されたものである。
【００２４】
ここで、安全帽１０は、帽体１１の内部に装着され着用者の頭部に安着されるヘッドバンド（図示しない）と、ヘッドバンドに取り付けられ帽体１１が着用者の頭部から脱落することを防止するあごひも（図示しない）とを有する形態にすることができる。
【００２５】
前記帽体１１は、着用者の頭部を覆うものであって、従来公知のように、一側が開口された半球状の断面形状を有する。
【００２６】
帽体１１の一側の周囲に、つまり、帽体１１の前方の周囲に帽子のつばの機能を有する帽子のつば１３が形成されている。帽子のつば１３は、日差しからの顔面保護をより広くするため、図１図示のように、帽体１１の開口領域の周囲に沿って部分円弧状を有して延長して形成されている。
【００２７】
そして、安全帽１０のつば１３に、日差しを遮断する本発明に係るサンシェード２０を着脱する。
【００２８】
本発明に係るサンシェード２０は、シェード本体２１と１対の補助遮光幕３１とを有する。
【００２９】
前記シェード本体２１は、帽子のつば１３の前方に照射される日差しを遮断する主遮光幕２３と、帽子のつば１３に着脱される着脱結合部２７とを有する。
【００３０】
前記主遮光幕２３は、視野を確保すると同時に、日差しを遮断することができるように、紫外線遮断の透明合成樹脂板からなり、図１図示のように、半月形状を有する。
【００３１】
前記着脱結合部２７は、帯状を有し、安全帽１０のつば１３に向かう主遮光幕２３の内側周囲に沿って設けられている。
【００３２】
着脱結合部２７は、本実施形態では、主遮光幕２３と同一の材質の紫外線遮断の透明合成樹脂板からなる。
【００３３】
着脱結合部２７は、図３図示のごとく、帽子のつば１３を受容して支持する構造を有している。
【００３４】
なお、着脱結合部２７は、主遮光幕２３と同一の材質の紫外線遮断の透明合成樹脂板からなり、帽子のつば１３を受容して支持するように、主遮光幕２３に接近及び離隔する構造を有するようにすることができる。
【００３５】
さらに、着脱結合部２７は、帽子のつば１３を弾性的に支持し、シェード本体２１は、上下・左右方向に揺れることなく、安定的に安全帽１０のつば１３に装着される。
【００３６】
一方、主遮光幕２３と着脱結合部２７の外側の縁は、透明合成樹脂板の裁断時に発生する鋭い断面をカバーし、美感を向上させるために、織物で覆われて裁縫されている。
【００３７】
補助遮光幕３１は、図１図示のように、帽子のつば１３を間に置いてシェード本体２１の両側部に、本実施形態では主遮光幕２３の両側部に回動可能に結合されている。
【００３８】
補助遮光幕３１は、視野を確保すると同時に、日差しを遮断することができるように、紫外線遮断の透明合成樹脂板からなり、図１図示のように、部分円弧断面形状を有する。
【００３９】
補助遮光幕３１は、リベット３３によって主遮光幕２３と結合される。ここで、リベット３３の代りにピンを使用することも可能である。
【００４０】
また、リベット３３、あるいはピンによる主遮光幕２３への結合により、補助遮光幕３１は、主遮光幕２３に対して３６０度回動可能であり、補助遮光幕３１を主遮光幕２３に対して回動することによって、帽子のつば１３の両側部に照射される日差しを遮断すると同時に、補助遮光幕３１を通じても視野を確保することができるようになる。
【００４１】
補助遮光幕３１の縁は、透明合成樹脂板の裁断時に発生する鋭い断面をカバーし、美感を向上させるために、主遮光幕２３と同様に織物で覆われて裁縫されている。
【００４２】
一方、本発明に係る安全帽用サンシェード２０のシェード本体２１の主遮光幕２３には、図１図示のように、弾性バンド４１が結合されている。
【００４３】
弾性バンド４１は、帯状を有し、主遮光幕２３及び補助遮光幕３１と共にリベット３３によって結合されている。前記弾性バンド４１は、安全帽１０の帽体１１の周囲に沿って装着され、シェード本体２１が安全帽１０から離脱することを防止する役割をする。ここで、弾性バンド４１は、弾力が良好で密着力に優れているゴム材質からなることが好ましい。
【００４４】
このような構成により、本発明に係る安全帽用サンシェード２０の使用過程を説明すれば次のとおりである。
【００４５】
まず、図１図示の状態から、安全帽１０のつば１３に、図３、図２図示のように、サンシェード２０の着脱結合部２７を装着する。
【００４６】
次に、サンシェード２０の弾性バンド４１を安全帽１０の帽体１１の周囲に沿って装着する（図２）。これにより、サンシェード２０は、安全帽１０の上下・左右方向、及び前後方向にゆれることなく、安定的に安全帽１０に装着される。そして、安全帽１０を着用者の頭に着用する。
【００４７】
次いで、安全帽１０のあごひもを着用者の顎にかけ、安全帽１０を着用者の顔面に固定する。このとき、主遮光幕２３により帽子のつば１３の領域に照射される日差しが遮断されると同時に、視野を確保することができるようになる。
【００４８】
次に、図４に示されるように、サンシェード２０の補助遮光幕３１を着用者の顔面の両側部に向かって回動、つまり帽子のつば１３の両側部に回動させる。これにより、帽子のつば１３の両側部に照射される日差しを遮断すると同時に、補助遮光幕３１を通じても視野を確保することができるようになり、安全帽１０の着用者は、構造物や障害物にも效果的に対応することができるようになる。
【００４９】
一方、補助遮光幕３１を使用しない場合には、図５に示されるように、補助遮光幕３１を安全帽１０の帽体１１の上方や前方向にまで回動させることにより、補助遮光幕３１を元の位置に簡単に復帰させることができるようになる。
【００５０】
このように、主遮光幕２３の両側部に１対の補助遮光幕３１を回動可能に設け、安全帽１０のつば１３に着脱することにより、安全帽１０に揺れることなく安定的に着用することができ、顔面の側部の視野を確保すると同時に、日差しを遮断することができるようになる。
【００５１】
一方、前述した実施形態では、着脱結合部が主遮光幕と同一の材質である紫外線遮断の透明合成樹脂板からなることを説明したが、着脱結合部は、弾性バンドからなってもよい。
【００５２】
以上、本発明の好ましい実施形態について詳細に説明したが、本発明の権利範囲はこれに限定されず、請求の範囲で定義している本発明の基本概念を利用した当業者の多様な変形及び改良形態も本発明の権利範囲に属するものである。
【図面の簡単な説明】
【００５３】
【図１】本発明に係る安全帽用サンシェードと安全帽の斜視図。
【図２】図１の結合斜視図。
【図３】図１の要部の縦断面図。
【図４】図１の補助遮光幕を使用する場合の状態を示した図２の平面図。
【図５】図１の補助遮光幕を使用しない場合の状態を示した図２の平面図。
【符号の説明】
【００５４】
１０  安全帽
１１  帽体
１３  つば
２０  サンシェード
２１  シェード本体
２３  主遮光幕
２７  着脱結合部
３１  補助遮光幕
３３  リベット
４１  弾性バンド
【図１】
2008007928.tif 000003
【図２】
2008007928.tif 000004
【図３】
2008007928.tif 000005
【図４】
2008007928.tif 000006
【図５】
2008007928.tif 000007